(57)【要約】【課題】容易に交換することができる制御部への何らかのものによる直接的な衝突や、制御部を装着した装置本体に落下等による衝撃が加えられた際における制御部の装置本体からの脱落を確実に抑えることができる内視鏡装置を提供すること。【解決手段】内視鏡装置１は、検査対象物となる配管等を観察するための図示しない照明光学系及び図示しない観察光学系が先端部２に配された細長の挿入部３と、挿入部３の基端に接続されて挿入部３を湾曲操作する操作部５と、操作部５から延びるケーブル６に接続されて照明光学系及び観察光学系を制御する制御部７と、制御部７を装着する装着面が設けられた筐体部１０、及び装着面に対向可能に筐体部１０に枢設され、装着面に装着された制御部７を覆う蓋部１１を有する装置本体１２とを備えている。【選択図】図２
2007151991.tif 000002
【特許請求の範囲】
【請求項１】
検査対象物を観察するための照明光学系及び観察光学系が先端部に配された細長の挿入部と、
該挿入部の基端に接続されて前記挿入部を湾曲操作する操作部と、
該操作部から延びるケーブルに接続されて前記照明光学系及び前記観察光学系を制御する制御部と、
前記制御部を装着する装着面が設けられた筐体部、及び前記装着面に対向可能に前記筐体部に枢設され、前記装着面に装着された前記制御部を覆う蓋部を有する装置本体とを備えていることを特徴とする内視鏡装置。
【請求項２】
前記検査対象の観察結果を表示する表示部が前記蓋部に配されていることを特徴とする請求項１に記載の内視鏡装置。
【請求項３】
先端に内視鏡側コネクタが配された凸部が前記制御部から突出して設けられ、
前記凸部と嵌合する凹部が底面を有して前記装着面に設けられて、前記内視鏡側コネクタと着脱する本体側コネクタが前記底面に配されていることを特徴とする請求項１又は２に記載の内視鏡装置。
【発明の詳細な説明】
【技術分野】
【０００１】
本発明は、検査対象物を観察するための内視鏡装置に関する。
【背景技術】
【０００２】
内視鏡装置は、検査対象を観察するために、先端に照明光学系や観察光学系が配された細長の挿入部を備えている。近年、観察光学系としてＣＣＤを備えるものが使用されており、このＣＣＤを駆動させるためのＣＣＤドライブ基板やＣＣＤの信号を処理するためのボードカメラ基板といった基板類が装備される。
【０００３】
これらの基板は、挿入部の長さや太さ、ＣＣＤ特性に応じて個別に調整する必要があるため、基板が破損した場合に、基板を交換しただけでは検査仕様を満足する画像が得られず、挿入部と合わせた調整が必要となる。そこで、挿入部にこれらの基板を予め接続して内視鏡としてユニット化したものが提案されている（例えば、特許文献１参照。）。
この際、基板類をまとめて制御部とし、これを電源部等の他のユニットからなる装置本体とコネクタ接続することにより、挿入部を交換する際に制御部も合わせて交換することができ、交換の都度基板を調整する必要がなく、交換の手間を容易にすることができる。
【特許文献１】特開２００４−８６２０２号公報
【発明の開示】
【発明が解決しようとする課題】
【０００４】
しかしながら、上記従来の内視鏡装置の場合、収納ケースから装置本体を取り出した時点で制御部が外部に剥き出しとなる状態で保持されている。そのため、制御部に何らかのものが直接当たって制御部が破損したり、装置本体が落下等した際に、装置本体から制御部が脱落して破損したりする可能性がある。その場合、内視鏡装置全体での修理が必要となり、時間と費用とがかかる。
本発明は上記事情に鑑みて成されたものであり、容易に交換することができる制御部への何らかのものによる直接的な衝突や、制御部を装着した装置本体に落下等による衝撃が加えられた際における制御部の装置本体からの脱落を確実に抑えることができる内視鏡装置を提供することを目的とする。
【課題を解決するための手段】
【０００５】
本発明は、上記課題を解決するため、以下の手段を採用する。
本発明に係る内視鏡装置は、検査対象物を観察するための照明光学系及び観察光学系が先端部に配された細長の挿入部と、該挿入部の基端に接続されて前記挿入部を湾曲操作する操作部と、該操作部から延びるケーブルに接続されて前記照明光学系及び前記観察光学系を制御する制御部と、前記制御部を装着する装着面が設けられた筐体部、及び前記装着面に対向可能に前記筐体部に枢設され、前記装着面に装着された前記制御部を覆う蓋部を有する装置本体とを備えていることを特徴とする。
【０００６】
この発明は、制御部を筐体部に装着して蓋部で覆うことによって、筐体部と蓋部とで取り囲むようにして制御部を装置本体の内部に取り込んで保持することができ、制御部に何らかのものが直接当たるのを筐体部と蓋部とによって規制することができる。また、装置本体が落下等しても、蓋部によって制御部が筐体部から脱落するのを好適に規制することができる。
【０００７】
また、本発明に係る内視鏡装置は、前記内視鏡装置であって、前記検査対象の観察結果を表示する表示部が前記蓋部に配されていることを特徴とする。
この発明は、蓋部を筐体部に対向させた状態で、表示部に表示された検査対象物を視認することができるのと同時に、制御部へ何らかのものが衝突したり、制御部が筐体部から脱落したりしないように、制御部を覆うことができる。
【０００８】
また、本発明に係る内視鏡装置は、前記内視鏡装置であって、先端に内視鏡側コネクタが配された凸部が前記制御部から突出して設けられ、前記凸部と嵌合する凹部が底面を有して前記装着面に設けられて、前記内視鏡側コネクタと着脱する本体側コネクタが前記底面に配されていることを特徴とする。
【０００９】
この発明は、制御部を筐体部に装着した際には、凸部と凹部とを嵌合させることによって、内視鏡側コネクタと本体側コネクタとの着脱方向にのみ制御部が移動可能となるように制御部を規制することができる。これにより、制御部を筐体部に確実に位置決めすることができ、制御部をより安定した状態で装置本体に保持させることができる。
【発明の効果】
【００１０】
本発明によれば、容易に交換することができる制御部への何らかのものによる直接的な衝突や、制御部を装着した装置本体に落下等による衝撃が加えられた際における制御部の装置本体からの脱落を確実に抑えることができる。
【発明を実施するための最良の形態】
【００１１】
本発明に係る一実施形態について、図１から図４を参照して説明する。
本実施形態に係る内視鏡装置１は、検査対象物となる配管等を観察するための図示しない照明光学系及び図示しない観察光学系が先端部２に配された細長の挿入部３と、挿入部３の基端に接続されて挿入部３を湾曲操作する操作部５と、操作部５から延びるケーブル６に接続されて照明光学系及び観察光学系を制御する制御部７と、制御部７を装着する装着面１０ａが設けられた筐体部１０、及び装着面１０ａに対向可能に筐体部１０に枢設され、装着面１０ａに装着された制御部７を覆う蓋部１１を有する装置本体１２とを備えている。
【００１２】
操作部５は、挿入部３先端側の湾曲方向を指示するジョイスティック１３と、撮影用のズームスイッチ１５及びゲインスイッチ１６とを備えている。
制御部７は、マグネシウム（Ｍｇ）合金からなる制御部筐体１７を備えており、制御部筐体１７内に、観察光学系に用いられる図示しないＣＣＤを駆動させるための図示しないＣＣＤドライブ基板やＣＣＤの信号を処理するための図示しないボードカメラ基板等が配されており、ケーブル６と接続されている。これらの基板は、挿入部の長さや太さに応じて最適な画像データを取得することができるように、挿入部毎に個別に調整されている。
【００１３】
制御部筐体１７は、筐体部１０に装着される板部１７Ａと、筐体部１０に装着される面とは反対側の板部１７Ａの面から突出して設けられて基板類が内部に収納される収納部（凸部）１７Ｂとを備えている。板部１７Ａの周縁部には、筐体部１０に制御部７を着脱自在に装着するためのネジ１８と、放熱用のフィン２０とがそれぞれ複数設けられている。収納部１７Ｂの先端には、各種基板と接続された内視鏡側コネクタ２１が配されている。
【００１４】
筐体部１０は、Ｍｇ合金により略矩形箱状に形成され、図示しない電源部や記録部等が内部に収納されている。筐体部１０の四隅には、装置本体１２を載置する際に筐体部１０が地面等に直接接触させないようにするための保護部材２２が配されている。
この筐体部１０を携帯移動又は載置する際に側方となる一側面は、制御部７が装着される装着面１０ａとなっている。装着面１０ａの中央部には、制御部筐体１７の収納部１７Ｂと嵌合する凹部２３が底面２３ａを有して設けられている。また装着面１０ａの周辺部には、制御部７を装着するためのネジ１８と螺合するネジ孔１０ｂが配されている。
【００１５】
凹部２３の底面２３ａには、電源部等と接続され、内視鏡側コネクタ２１と着脱される本体側コネクタ２５が配されている。
凹部２３は、制御部７の収納部１７Ｂと筐体部１０の凹部２３とを嵌合させるようにして制御部７を筐体部１０に装着する際、内視鏡側コネクタ２１と本体側コネクタ２５とが接続され、かつ、板部１７Ａが装着面１０ａと接触することができるように深さが調整されている。
【００１６】
蓋部１１は、略直方体状に形成されており、筐体部１０の装着面１０ａ側には、蓋部１１が内部に係合される枠部２６が、装着面１０ａを取り囲むようにして設けられている。蓋部１１は、この枠部２６の下方に枢支軸２７によって図中Ａ方向に回動自在に枢支されている。即ち、装着面１０ａに制御部７が装着された状態で蓋部１１を閉じた場合には、蓋部１１が制御部７と対向した状態で筐体部１０の一面となる。
【００１７】
蓋部１１を閉じた際に外表面となる面には、検査対象物の観察結果を表示する表示モニタ（表示部）２８が配されている。なお、表示モニタ２８は、蓋部１１を閉じた際に制御部７と対向する側の面に配されていてもよい。また、蓋部１１は、枠部２６の下方のみならず、上方側や側面で枢支されていても構わない。
【００１８】
次に、本実施形態に係る内視鏡装置１の作用・効果について説明する。
まず、所定の検査対象に適合する挿入部３及び制御部７を用意する。そして、装置本体１２の蓋部１１を枢支軸２７を回動中心として回動して蓋部１１を開けて装着面１０ａを露出させる。この状態で制御部７を装置本体１２の筐体部１０に装着する。
この際、内視鏡側コネクタ２１と本体側コネクタ２５との位置を確認しながら制御部７の収納部１７Ｂを筐体部１０の装着面１０ａの凹部２３と嵌合し、内視鏡側コネクタ２１と本体側コネクタ２５とを結合する。その後、ネジ１８と筐体部１０に配されたネジ孔１０ｂと螺合させる。
【００１９】
制御部７を筐体部１０に装着した後、枢支軸２７を回動中心として蓋部１１を逆方向に回動して蓋部１１を閉め、枠部２６に蓋部１１を係合する。このとき、制御部７が、筐体部１０と蓋部１１とによって挟まれた状態となる。また、表示モニタ２８が装置本体１２の外表面の視認可能な位置に配置される。
こうして、装置本体１２を携帯しながら検査対象物を観察する。
【００２０】
この際、蓋部１１を閉めた状態である限り、制御部７が筐体部１０と蓋部１１とによって囲まれているので、制御部７に直接何らかのものが衝突するといった事態は発生しない。
また、装置本体１２を地面等に載置する際、制御部７は、収納部１７Ｂが筐体部１０の凹部２３と嵌合した状態で筐体部１０に装着されているので、コネクタ２１，２５の着脱方向以外の方向に対して位置決めされ、装置本体１２に衝撃力が負荷されても制御部７の移動が規制される。また、コネクタ２１，２５の着脱方向に対しては、ネジ１８によって制御部７が装着面１０ａに固定され、かつ、蓋部１１によって筐体部１０との間に挟まれる。従って、衝撃力が直接制御部７に負荷されるのが緩和され、制御部７の装置本体１２に対する移動が規制されて落下しないので、破損しない。
【００２１】
この内視鏡装置１によれば、蓋部１１で制御部７を覆い、筐体部１０と蓋部１１とで取り囲むようにして制御部７を装置本体１２の内部取り込んで保持することができる。従って、制御部７に何らかのものが直接衝突することを好適に規制することができる。また、装置本体１２が落下等して衝撃力が負荷されても、蓋部１１によって制御部７が筐体部１０から脱落するのを好適に規制することができる。
【００２２】
この際、制御部７が筐体部１０から脱落しないように蓋部１１で覆うことができ、かつ、蓋部１１を閉めて筐体部１０に対向させた状態で、表示モニタ２８に検査対象物を表示して視認することができる。
また、制御部７を筐体部１０に装着した際には、制御部７の収納部１７Ｂと筐体部１０の凹部２３とを嵌合させることによって、内視鏡側コネクタ２１と本体側コネクタ２５との着脱方向にのみ制御部７が移動可能となるように制御部７を規制することができる。これにより、制御部７を筐体部１０に確実に位置決めすることができ、制御部７をより安定した状態で装置本体１２に保持させることができる。
さらに、枠部２６内に蓋部１１を係合させることにより、制御部７を確実に覆い隠して装置本体１２の内部に収納することができ、制御部７の破損を確実に抑えることができる。
【００２３】
なお、本発明の技術範囲は上記実施の形態に限定されるものではなく、本発明の趣旨を逸脱しない範囲において種々の変更を加えることが可能である。
例えば、上記実施形態では、蓋部１１や制御部７が筐体部１０の側面に装着されるように装置本体１２を載置又は移動するものとしているが、蓋部１１が装置本体１２の上面となる方向に載置又は移動しても構わない。この場合にも、上述した作用と同様の作用によって、衝突による制御部７への直接的な衝撃、又は制御部７の筐体部１０からの脱落を規制することができる。
【図面の簡単な説明】
【００２４】
【図１】本発明の一実施形態に係る内視鏡装置の全体概要を示す斜視図である。
【図２】本発明の一実施形態に係る内視鏡装置の蓋部を開けた状態を示す斜視図である。
【図３】本発明の一実施形態に係る内視鏡装置における制御部の装着状態を説明する分解構成図である。
【図４】本発明の一実施形態に係る内視鏡装置の内視鏡部の概要を示す斜視図である。
【符号の説明】
【００２５】
１  内視鏡装置
３  挿入部
５  操作部
６  ケーブル
７  制御部
１０  筐体部
１０ａ  装着面
１１  蓋部
１２  装置本体
１７Ｂ  収納部（凸部）
２１  内視鏡側コネクタ
２３  凹部
２５  本体側コネクタ
２６  枠部
２８  表示モニタ（表示部）
【図１】
2007151991.tif 000003
【図２】
2007151991.tif 000004
【図３】
2007151991.tif 000005
【図４】
2007151991.tif 000006
【手続補正書】
【提出日】平成17年12月22日(2005.12.22)
【手続補正１】
【補正対象書類名】明細書
【補正対象項目名】０００３
【補正方法】変更
【補正の内容】
【０００３】
これらの基板は、挿入部の長さや太さ、ＣＣＤ特性に応じて個別に調整する必要があるため、基板が破損した場合に、基板を交換しただけでは検査仕様を満足する画像が得られず、挿入部と合わせた調整が必要となる。そこで、挿入部にこれらの基板を予め接続して内視鏡としてユニット化したものが提案されている（例えば、特許文献１参照。）。
この際、基板類をまとめて制御部とし、これを電源部等の他のユニットからなる装置本体とコネクタ接続することにより、挿入部を交換する際に制御部も合わせて交換することができ、交換の都度基板を調整する必要がなく、交換の手間を容易にすることができる。
【特許文献１】特開２００４−８６２０７号公報